【手続補正書】
【提出日】平成18年6月27日(2006.6.27)
【手続補正１】
【補正対象書類名】明細書
【補正対象項目名】発明の名称
【補正方法】変更
【補正の内容】
【発明の名称】複数画面をもつ携帯装置
【手続補正２】
【補正対象書類名】明細書
【補正対象項目名】特許請求の範囲
【補正方法】変更
【補正の内容】
【特許請求の範囲】
【請求項１】
画像データに基づいて画像を原画像として表示可能な第１ディスプレイと、
前記第１ディスプレイに表示される原画像を使用して合成画像を作成する合成画像作成手段と、
前記合成画像作成手段により作成された合成画像を表示可能な第２ディスプレイと、
を備えた複数画面をもつ携帯装置。
【請求項２】
携帯装置本体を更に備え、
前記第１ディスプレイ及び第２ディスプレイの少なくとも一方は、前記携帯装置本体への収納位置と、この収納位置への収納状態時よりも前記第１ディスプレイ及び第２ディスプレイを合わせた表示面積が広くなる表示面積拡大位置と、の間を移動可能とされていることを特徴とする、請求項１に記載の複数画面をもつ携帯装置。
【請求項３】
撮像対象を撮像可能な撮像手段、を更に備えたことを特徴とする請求項１または請求項２に記載の複数画面をもつ携帯装置。
【請求項４】
タッチパネルとして機能し、タッチによる指示入力用の入力キーが表示される第１ディスプレイと、
前記入力キーからの指示入力に応じて画像表示を切換える第２ディスプレイと、
を備え、
前記第１ディスプレイと前記第２ディスプレイとは、互いに対向して覆い合う収納位置と、前記収納位置よりも互いに離間し合い表示される画像を視認可能とする使用位置と、の間を相対移動可能とされていること、を特徴とする複数画面をもつ携帯装置。
【請求項５】
携帯装置本体と、
タッチパネルとして機能し、タッチによる指示入力用の入力キーが表示される第１ディスプレイと、
前記入力キーからの指示入力に応じて画像表示を切換える第２ディスプレイと、
を備え、
前記第１ディスプレイは、前記携帯装置本体の内部の収納位置と、前記第１ディスプレイが表出される使用位置との間を移動可能とされていること、を特徴とする複数画面をもつ携帯装置。
【請求項６】
タッチパネルとして機能し、タッチによる指示入力用の入力キーが表示される第１ディスプレイと、
画像を表示可能な第２ディスプレイと、
を備え、
前記第１ディスプレイと前記第２ディスプレイとは、互いに対向して覆い合う収納位置と、前記収納位置よりも互いに離間し合い表示される画像を視認可能とする使用位置と、の間を相対移動可能とされていること、を特徴とする複数画面をもつ携帯装置。
【請求項７】
携帯装置本体と、
タッチパネルとして機能し、タッチによる指示入力用の入力キーが表示される第１ディスプレイと、
画像を表示可能な第２ディスプレイと、
を備え、
前記第１ディスプレイは、前記携帯装置本体の内部の収納位置と、前記第１ディスプレイが表出される使用位置との間を移動可能とされていること、を特徴とする複数画面をもつ携帯装置。
【手続補正３】
【補正対象書類名】明細書
【補正対象項目名】０００４
【補正方法】変更
【補正の内容】
【０００４】
【発明が解決しようとする課題】
本発明は、上記事実を考慮して成されたものであり、原画像及び合成画像の見やすい表示が可能な複数画面をもつ携帯装置を提供することを目的とする。
【手続補正４】
【補正対象書類名】明細書
【補正対象項目名】０００５
【補正方法】変更
【補正の内容】
【０００５】
【課題を解決するための手段】
上記目的を達成するために、請求項１に記載の複数画面をもつ携帯装置は、画像データに基づいて画像を原画像として表示可能な第１ディスプレイと、前記第１ディスプレイに表示された原画像を使用して合成画像を作成する合成画像作成手段と、前記合成画像作成手段により作成された合成画像を表示可能な第２ディスプレイと、を含んで構成されている。
【手続補正５】
【補正対象書類名】明細書
【補正対象項目名】０００６
【補正方法】変更
【補正の内容】
【０００６】
上記構成の複数画面をもつ携帯装置によれば、第１ディスプレイに原画像が表示され、第２ディスプレイに合成画像が表示される。したがって、１つのディスプレイを分割して表示する場合と比較して、表示される画像は大きくなり、原画像及び合成画像を見やすい表示とすることができる。
【手続補正６】
【補正対象書類名】明細書
【補正対象項目名】０００７
【補正方法】変更
【補正の内容】
【０００７】
なお、本発明の複数画面をもつ携帯装置は、請求項２に記載のように、請求項１の複数画面をもつ携帯装置であって、携帯装置本体を更に備え、前記第１ディスプレイ及び第２ディスプレイの少なくとも一方が、前記携帯装置本体への収納位置と、この収納位置への収納状態時よりも前記第１ディスプレイ及び第２ディスプレイを合わせた表示面積が広くなる表示面積拡大位置と、の間を移動可能とされていることを特徴とすることもできる。
【手続補正７】
【補正対象書類名】明細書
【補正対象項目名】０００８
【補正方法】変更
【補正の内容】
【０００８】
ここで、携帯装置本体への収納位置とは、第１ディスプレイ、第２ディスプレイを、携帯装置本体に沿った位置に折り畳んだり、携帯装置本体の内部に入れ込んだりして、複数画面をもつ携帯装置の形状がコンパクトになる位置をいう。また、表示面積拡大位置とは、第１ディスプレイ、第２ディスプレイを折り畳んだ状態から広げたり、携帯装置本体の内部に入れ込んであったものを外側へ出したりすることで、ユーザーによる視認可能な画像の表示面積が収納位置に収納されていたときよりも拡大される位置をいう。
【手続補正８】
【補正対象書類名】明細書
【補正対象項目名】０００９
【補正方法】変更
【補正の内容】
【０００９】
上記複数画面をもつ携帯装置によれば、第１ディスプレイ及び第２ディスプレイの少なくとも一方を収納位置へ移動させることにより、複数画面をもつ携帯装置をコンパクト化することができ、持ち運びに便利である。また、第１ディスプレイ及び第２ディスプレイの少なくとも一方を表示面積拡大位置へ移動させることにより、視認可能な画像の表示面積が広くなるので、画像を見やすくすることができる。
【手続補正９】
【補正対象書類名】明細書
【補正対象項目名】００１０
【補正方法】変更
【補正の内容】
【００１０】
また、本発明の複数画面をもつ携帯装置は、請求項３に記載のように、撮像対象を撮像可能な撮像手段、を更に備えれば、撮像可能となり、カメラとして使用することもできる。
本発明の請求項４に係る複数画面をもつ携帯装置は、タッチパネルとして機能し、タッチによる指示入力用の入力キーが表示される第１ディスプレイと、前記入力キーからの指示入力に応じて画像表示を切換える第２ディスプレイと、を備え、前記第１ディスプレイと前記第２ディスプレイとは、互いに対向して覆い合う収納位置と、前記収納位置よりも互いに離間し合い表示される画像を視認可能とする使用位置と、の間を相対移動可能とされていること、を特徴とする。
また、本発明の請求項５に係る複数画面をもつ携帯装置は、携帯装置本体と、タッチパネルとして機能し、タッチによる指示入力用の入力キーが表示される第１ディスプレイと、  前記入力キーからの指示入力に応じて画像表示を切換える第２ディスプレイと、を備え、  前記第１ディスプレイは、前記携帯装置本体の内部の収納位置と、前記第１ディスプレイが表出される使用位置との間を移動可能とされていること、を特徴とする。
また、本発明の請求項６に係る複数画面をもつ携帯装置は、タッチパネルとして機能し、タッチによる指示入力用の入力キーが表示される第１ディスプレイと、画像を表示可能な第２ディスプレイと、を備え、前記第１ディスプレイと前記第２ディスプレイとは、互いに対向して覆い合う収納位置と、前記収納位置よりも互いに離間し合い表示される画像を視認可能とする使用位置と、の間を相対移動可能とされていること、を特徴とする。
また、本発明の請求項７に係る複数画面をもつ携帯装置は、携帯装置本体と、タッチパネルとして機能し、タッチによる指示入力用の入力キーが表示される第１ディスプレイと、  画像を表示可能な第２ディスプレイと、を備え、前記第１ディスプレイは、前記携帯装置本体の内部の収納位置と、前記第１ディスプレイが表出される使用位置との間を移動可能とされていること、を特徴とする。
【手続補正１０】
【補正対象書類名】明細書
【補正対象項目名】００１１
【補正方法】変更
【補正の内容】
【００１１】
【発明の実施の形態】
以下、図面を参照して、本発明に係る複数画面をもつ携帯装置の実施形態について説明する。本発明の複数画面をもつ携帯装置は、デジタルカメラ、デジタルビデオカメラ、携帯電話、パーソナルコンピュータなどの、ディスプレイを備える携帯用の電子機器に適用可能であるが、本実施形態では、デジタルカメラに適用した例について説明する。
【手続補正１１】
【補正対象書類名】明細書
【補正対象項目名】００３５
【補正方法】変更
【補正の内容】
【００３５】
【発明の効果】
以上説明したように、本発明の複数画面をもつ携帯装置によれば、第１ディスプレイに原画像が表示され、第２ディスプレイに合成画像が表示されるので、１つのディスプレイを分割して表示する場合と比較して、表示される画像は大きくなり、原画像及び合成画像を見やすい表示とすることができる。